(57)【要約】【課題】コアキシャルインターフェイス方式で伝送する電源以外の電源を使用することが可能なアンテナ制御システム及びアンテナモデムを提供する。【解決手段】アンテナ１０の制御を行うＡＩＳＧデバイス１７と、ＡＩＳＧデバイス１７に制御信号とＡＩＳＧ規格にて規定される一の電圧の電源信号を送信する制御装置１６と、アンテナ１０の給電線１２の途中に設けられ、制御装置１６から入力された制御信号を変調して生成した変調信号と電源信号を給電信号に重畳して出力するＢＳモデム１３と、ＢＳモデム１３から入力された給電信号から変調信号と電源信号を分離し、変調信号を復調した制御信号と電源信号をＡＩＳＧデバイス１７に出力するアンテナモデム２とを備え、アンテナモデム２は、入力された電源信号からＡＩＳＧ規格にて規定される他の電圧の電源信号を生成してＡＩＳＧデバイス１７に出力するＤＣ／ＤＣコンバータ３を備えた。【選択図】図１
2013026892.tif 000002
【特許請求の範囲】
【請求項１】
ＡＩＳＧ規格に準拠してアンテナの制御を行うＡＩＳＧデバイスと、
前記ＡＩＳＧデバイスに制御信号を送信し、前記ＡＩＳＧデバイスを制御して前記アンテナの制御を行うと共に、前記ＡＩＳＧデバイスにＡＩＳＧ規格にて規定される一の電圧の電源信号を送信する制御装置と、
前記アンテナと該アンテナに給電を行う無線機とを接続する給電線の途中に設けられると共に、前記制御装置が接続され、前記制御装置から入力された制御信号を変調して変調信号を生成し、その変調信号と前記制御装置から入力された電源信号とを、前記無線機から入力された給電信号に重畳して、前記アンテナ側の前記給電線に出力するＢＳモデムと、
前記ＢＳモデムよりも前記アンテナ側の前記給電線の途中に設けられると共に、前記ＡＩＳＧデバイスが接続され、前記ＢＳモデムから入力された給電信号から変調信号と電源信号とを分離すると共に、変調信号を復調して制御信号に戻し、制御信号と電源信号を前記ＡＩＳＧデバイスに、分離後の給電信号を前記アンテナ側の前記給電線に出力するアンテナモデムと、
を備えたアンテナ制御システムにおいて、
前記アンテナモデムは、前記ＢＳモデムから入力され給電信号から分離した電源信号から、ＡＩＳＧ規格にて規定される他の電圧の電源信号を生成して前記ＡＩＳＧデバイスに出力するＤＣ／ＤＣコンバータを備えた
ことを特徴とするアンテナ制御システム。
【請求項２】
前記アンテナモデムは、
前記ＢＳモデムから入力され給電信号から分離した電源信号と、前記ＤＣ／ＤＣコンバータで生成した電源信号の両者を、前記ＡＩＳＧデバイスに出力するように構成される
請求項１記載のアンテナ制御システム。
【請求項３】
前記アンテナモデムは、
前記ＤＣ／ＤＣコンバータを２つ備え、該両ＤＣ／ＤＣコンバータにて、前記ＢＳモデムから入力され給電信号から分離した電源信号から、ＡＩＳＧ規格にて規定される他の電圧で、かつ異なる電圧の電源信号をそれぞれ生成して、前記ＡＩＳＧデバイスに出力するように構成される
請求項１または２記載のアンテナ制御システム。
【請求項４】
前記アンテナモデムは、
前記ＢＳモデムから入力された給電信号から変調信号と電源信号とを分離すると共に、分離後の給電信号を前記アンテナ側の前記給電線に出力するバイアスＴ回路と、
前記バイアスＴ回路で分離された変調信号と電源信号を、さらに個別に分離する分離回路と、
前記分離回路にて分離した変調信号を復調して制御信号に戻し、その制御信号を前記ＡＩＳＧデバイスに出力するモデムと、を備え、
前記ＤＣ／ＤＣコンバータは、前記分離回路にて分離した電源信号から、ＡＩＳＧ規格にて規定される他の電圧の電源信号を生成して、前記ＡＩＳＧデバイスに出力するように構成される
請求項１〜３いずれかに記載のアンテナ制御システム。
【請求項５】
ＡＩＳＧ規格に準拠してアンテナの制御を行うＡＩＳＧデバイスと、
前記ＡＩＳＧデバイスに制御信号を送信し、前記ＡＩＳＧデバイスを制御して前記アンテナの制御を行うと共に、前記ＡＩＳＧデバイスにＡＩＳＧ規格にて規定される一の電圧の電源信号を送信する制御装置と、
前記アンテナと該アンテナに給電を行う無線機とを接続する給電線の途中に設けられると共に、前記制御装置が接続され、前記制御装置から入力された制御信号を変調して変調信号を生成し、その変調信号と前記制御装置から入力された電源信号とを、前記無線機から入力された給電信号に重畳して、前記アンテナ側の前記給電線に出力するＢＳモデムと、を備えたアンテナ制御システムに用いられ、
前記ＢＳモデムよりも前記アンテナ側の前記給電線の途中に設けられると共に、前記ＡＩＳＧデバイスが接続され、前記ＢＳモデムから入力された給電信号から変調信号と電源信号とを分離すると共に、変調信号を復調して制御信号に戻し、制御信号と電源信号を前記ＡＩＳＧデバイスに、分離後の給電信号を前記アンテナ側の前記給電線に出力するアンテナモデムであって、
前記ＢＳモデムから入力され給電信号から分離した電源信号から、ＡＩＳＧ規格にて規定される他の電圧の電源信号を生成して前記ＡＩＳＧデバイスに出力するＤＣ／ＤＣコンバータを備えた
ことを特徴とするアンテナモデム。
【発明の詳細な説明】
【技術分野】
【０００１】
本発明は、ＡＩＳＧ（Antenna Interface Standards Group）規格に準拠してアンテナの制御を行うアンテナ制御システム及びアンテナモデムに関するものである。
【背景技術】
【０００２】
移動通信用の無線基地局では、一般に、アンテナのチルト制御を遠隔制御により行えるようになっている。当初は、アンテナの制御方式としてメーカーごとに独自の方式を用いていたが、近年のＬＴＥ（Long Term Evolution）無線基地局などでは、アンテナの制御をＡＩＳＧ規格で行うことが多くなっている。ＡＩＳＧ規格は、アンテナの基本的な相互運用を確実にすべく標準化された規格である（例えば、特許文献１参照）。
【０００３】
通常、無線基地局のアンテナや、アンテナの制御を行うＲＥＴ（Remote Electrical Tilt）ユニットなどのＡＩＳＧデバイス（ＡＩＳＧ端末機器）は、鉄塔の上部やビルの屋上など高い位置に配置される。他方、アンテナに給電を行う無線機や、ＡＩＳＧデバイスを制御する制御装置（ＡＩＳＧ制御装置）は、鉄塔の下部など低い位置に配置されるのが一般的である。ここで、制御装置は、ＡＩＳＧデバイスに制御信号（ＲＳ４８５規格信号）を送信し、ＡＩＳＧデバイスを制御してアンテナの制御を行うと共に、ＡＩＳＧデバイスに電源を供給するものである。
【０００４】
アンテナと無線機とは同軸ケーブルからなる給電線（ＲＦ給電線）により接続され、ＡＩＳＧデバイスと制御装置とはＡＩＳＧ規格に準拠した制御ケーブル（ＡＩＳＧ制御ケーブル）により接続されるので、例えばアンテナとＡＩＳＧデバイスを鉄塔の上部に、無線機と制御装置を鉄塔の下部に配置する場合には、鉄塔の上部から下部にわたって、給電線と制御ケーブルの２本のケーブルが敷設されることになる。
【０００５】
しかし、例えば数十ｍと高い鉄塔においては、鉄塔の上部から下部にわたってケーブルを敷設することは非常に手間がかかり、工事にかかるコストも高くなってしまう。この問題を解決するため、ＡＩＳＧ規格では、コアキシャルインターフェイス（Coaxial Interface）またはモデムオプション（Modem Option）と呼ばれる方式（以下、コアキシャルインターフェイス方式と呼称する）が規定されている。
【０００６】
図６に示すように、コアキシャルインターフェイス方式を用いたアンテナ制御システム６１では、アンテナ１０と無線機１１とを接続する給電線１２の途中に、ＢＳモデム１３とアンテナモデム１４と呼ばれる２つのモデムを設け、これらＢＳモデム１３とアンテナモデム１４を使用して、給電線１２を経由してＡＩＳＧデバイス１７用の制御信号や電源信号を伝送する。
【０００７】
ＢＳモデム１３は、無線機１１の近傍（例えば鉄塔の下部）に設けられ、制御ケーブル１５を介して制御装置（ＡＩＳＧ制御装置）１６が接続される。アンテナモデム１４は、アンテナ１０の近傍（例えば鉄塔の上部）に設けられ、制御ケーブル１５を介してＡＩＳＧデバイス１７が接続される。
【０００８】
図７に示すように、ＢＳモデム１３では、制御装置１６から入力ＡＩＳＧコネクタ２１を介して入力された制御信号（ＲＳ４８５Ａ，ＲＳ４８５Ｂ）を、モデム（モデム回路）２２にて変調して変調信号を生成し、その変調信号と制御装置１６から入力された電源信号とを合成回路２３で合成し、その合成した信号（ＡＩＳＧ信号という）をバイアスＴ回路（Bias Tee）２４に出力する。バイアスＴ回路２４は、直流遮断用のキャパシタ（容量素子）と交流遮断用のインダクタ（誘導素子）とを組み合わせて構成され、合成回路２３から入力されたＡＩＳＧ信号を、無線機１１から入力側ＲＦコネクタ２５を介して入力された給電信号（ＲＦ信号）に重畳して、出力側ＲＦコネクタ２６からアンテナ１０側の給電線１２に出力する。
【０００９】
図８に示すように、従来のアンテナモデム１４では、ＢＳモデム１３から入力側ＲＦコネクタ３１を介して入力された給電信号（ＡＩＳＧ信号を重畳した給電信号）をバイアスＴ回路３２に入力し、バイアスＴ回路３２にて、給電信号からＡＩＳＧ信号を分離する。分離後の給電信号は、出力側ＲＦコネクタ３３から、アンテナ１０側の給電線１２に出力される。バイアスＴ回路３２で分離されたＡＩＳＧ信号は、分離回路３４にてさらに変調信号と電源信号とに分離され、分離された変調信号はモデム（モデム回路）３５で復調されて制御信号に戻され、その復調された制御信号と、分離回路３４で分離された電源信号とが、出力ＡＩＳＧコネクタ３６を介してＡＩＳＧデバイス１７に出力される。
【００１０】
ＢＳモデム１３のモデム２２と、アンテナモデム１４のモデム３５としては、同じ構成のものを用いるのが一般的である。図９に示すように、モデム２２，３５は、ＲＳ４８５インターフェイス９１に入力された制御信号（ＲＳ４８５規格信号）を、変調回路９２で変調して変調信号を生成し、生成した変調信号を方向性結合器９３から外部に出力するように構成されると共に、方向性結合器９３に入力された変調信号を、復調回路９４で復調して制御信号に戻し、ＲＳ４８５インターフェイス９１から外部に出力するように構成されている。モデム２２，３５の電源回路９５は、制御装置１６から供給される電源を利用し、入力される電源電圧をモデム２２，３５用の電圧に変換して、ＲＳ４８５インターフェイス９１、変調回路９２、復調回路９４に出力するように構成されている。
【００１１】
このようなコアキシャルインターフェイス方式を採用することにより、鉄塔の上部から下部にわたって給電線１２のみを敷設すればよいこととなり、工事費も含めたアンテナ制御システムのトータルコストを大幅に抑制することが可能になる。
【先行技術文献】
【特許文献】
【００１２】
【特許文献１】特表２０１０−５１９８０４号公報
【発明の概要】
【発明が解決しようとする課題】
【００１３】
ところで、表１に示すように、ＡＩＳＧ規格では、＋１２Ｖ（１番）、−４８Ｖ（２番）、１０〜３０Ｖ（６番）の３種類の電源が用意されている。なお、表１は、ＡＩＳＧ規格にて規定されているコネクタのピン端子の番号（Pin Number）、各ピン端子で伝搬する信号（Signal）、必須接続（Mandatory）であるか任意接続（Optional）であるかという要求（Requirement）を示したものであり、８番のＮＣは無接続（No Connection）を意味している。
【００１４】
【表１】
2013026892.tif 000003
【００１５】
しかしながら、上述のコアキシャルインターフェイス方式のアンテナ制御システム６１では、同軸ケーブルからなる給電線１２を介して電源信号を伝送しており、同軸ケーブルは中心導体と外部導体の２つの導体しか備えていないので、１種類の電源（例えば、必須接続である１０〜３０Ｖ電源）しか伝送することができない。そのため、伝送する１種類の電源以外の電源（例えば、任意接続の＋１２Ｖ電源や−４８Ｖ電源）を使用するＡＩＳＧデバイス１７を使用することができないという問題がある。
【００１６】
１０〜３０Ｖ電源は必須接続となっているため、現在では、１０〜３０Ｖ電源を使用するＡＩＳＧデバイスが一般的となっているが、古いＡＩＳＧデバイスでは＋１２Ｖ電源のみを使用するものもあり、また、電圧を大きくすれば小電流でも大電力を供給でき、制御ケーブル等での電圧降下を抑制して電力効率を向上できることから、将来的には、−４８Ｖ電源を使用するＡＩＳＧデバイスが増えると考えられる。よって、アンテナ制御システムの柔軟性や拡張性を高めるためにも、コアキシャルインターフェイス方式で伝送する電源以外の電源を使用するＡＩＳＧデバイスを使用可能とすることが望まれる。
【００１７】
本発明は、上記事情に鑑み為されたものであり、コアキシャルインターフェイス方式で伝送する電源以外の電源を使用することが可能なアンテナ制御システム及びアンテナモデムを提供することを目的とする。
【課題を解決するための手段】
【００１８】
本発明は上記目的を達成するために創案されたものであり、ＡＩＳＧ規格に準拠してアンテナの制御を行うＡＩＳＧデバイスと、前記ＡＩＳＧデバイスに制御信号を送信し、前記ＡＩＳＧデバイスを制御して前記アンテナの制御を行うと共に、前記ＡＩＳＧデバイスにＡＩＳＧ規格にて規定される一の電圧の電源信号を送信する制御装置と、前記アンテナと該アンテナに給電を行う無線機とを接続する給電線の途中に設けられると共に、前記制御装置が接続され、前記制御装置から入力された制御信号を変調して変調信号を生成し、その変調信号と前記制御装置から入力された電源信号とを、前記無線機から入力された給電信号に重畳して、前記アンテナ側の前記給電線に出力するＢＳモデムと、前記ＢＳモデムよりも前記アンテナ側の前記給電線の途中に設けられると共に、前記ＡＩＳＧデバイスが接続され、前記ＢＳモデムから入力された給電信号から変調信号と電源信号とを分離すると共に、変調信号を復調して制御信号に戻し、制御信号と電源信号を前記ＡＩＳＧデバイスに、分離後の給電信号を前記アンテナ側の前記給電線に出力するアンテナモデムと、を備えたアンテナ制御システムにおいて、前記アンテナモデムは、前記ＢＳモデムから入力され給電信号から分離した電源信号から、ＡＩＳＧ規格にて規定される他の電圧の電源信号を生成して前記ＡＩＳＧデバイスに出力するＤＣ／ＤＣコンバータを備えたアンテナ制御システムである。
【００１９】
前記アンテナモデムは、前記ＢＳモデムから入力され給電信号から分離した電源信号と、前記ＤＣ／ＤＣコンバータで生成した電源信号の両者を、前記ＡＩＳＧデバイスに出力するように構成されてもよい。
【００２０】
前記アンテナモデムは、前記ＤＣ／ＤＣコンバータを２つ備え、該両ＤＣ／ＤＣコンバータにて、前記ＢＳモデムから入力され給電信号から分離した電源信号から、ＡＩＳＧ規格にて規定される他の電圧で、かつ異なる電圧の電源信号をそれぞれ生成して、前記ＡＩＳＧデバイスに出力するように構成されてもよい。
【００２１】
前記アンテナモデムは、前記ＢＳモデムから入力された給電信号から変調信号と電源信号とを分離すると共に、分離後の給電信号を前記アンテナ側の前記給電線に出力するバイアスＴ回路と、前記バイアスＴ回路で分離された変調信号と電源信号を、さらに個別に分離する分離回路と、前記分離回路にて分離した変調信号を復調して制御信号に戻し、その制御信号を前記ＡＩＳＧデバイスに出力するモデムと、を備え、前記ＤＣ／ＤＣコンバータは、前記分離回路にて分離した電源信号から、ＡＩＳＧ規格にて規定される他の電圧の電源信号を生成して、前記ＡＩＳＧデバイスに出力するように構成されてもよい。
【００２２】
また、本発明は、ＡＩＳＧ規格に準拠してアンテナの制御を行うＡＩＳＧデバイスと、前記ＡＩＳＧデバイスに制御信号を送信し、前記ＡＩＳＧデバイスを制御して前記アンテナの制御を行うと共に、前記ＡＩＳＧデバイスにＡＩＳＧ規格にて規定される一の電圧の電源信号を送信する制御装置と、前記アンテナと該アンテナに給電を行う無線機とを接続する給電線の途中に設けられると共に、前記制御装置が接続され、前記制御装置から入力された制御信号を変調して変調信号を生成し、その変調信号と前記制御装置から入力された電源信号とを、前記無線機から入力された給電信号に重畳して、前記アンテナ側の前記給電線に出力するＢＳモデムと、を備えたアンテナ制御システムに用いられ、前記ＢＳモデムよりも前記アンテナ側の前記給電線の途中に設けられると共に、前記ＡＩＳＧデバイスが接続され、前記ＢＳモデムから入力された給電信号から変調信号と電源信号とを分離すると共に、変調信号を復調して制御信号に戻し、制御信号と電源信号を前記ＡＩＳＧデバイスに、分離後の給電信号を前記アンテナ側の前記給電線に出力するアンテナモデムであって、前記ＢＳモデムから入力され給電信号から分離した電源信号から、ＡＩＳＧ規格にて規定される他の電圧の電源信号を生成して前記ＡＩＳＧデバイスに出力するＤＣ／ＤＣコンバータを備えたアンテナモデムである。
【発明の効果】
【００２３】
本発明によれば、コアキシャルインターフェイス方式で伝送する電源以外の電源を使用することが可能なアンテナ制御システム及びアンテナモデムを提供できる。
【図面の簡単な説明】
【００２４】
【図１】（ａ）は、本発明の一実施の形態に係るアンテナ制御システムの概略構成図であり、（ｂ）はアンテナモデムの概略構成図である。
【図２】図１のアンテナ制御システムに用いる制御ケーブルの一例を示す横断面図である。
【図３】図１（ｂ）のアンテナモデムの変形例を示す概略構成図である。
【図４】図１（ｂ）のアンテナモデムの変形例を示す概略構成図である。
【図５】図１（ｂ）のアンテナモデムの変形例を示す概略構成図である。
【図６】従来のアンテナ制御システムの概略構成図である。
【図７】図６の従来のアンテナ制御システムに用いるＢＳモデムの概略構成図である。
【図８】図６の従来のアンテナ制御システムに用いる従来のアンテナモデムの概略構成図である。
【図９】図７のＢＳモデム、図８のアンテナモデムに用いるモデム（モデム回路）の概略構成図である。
【発明を実施するための形態】
【００２５】
以下、本発明の実施の形態を添付図面にしたがって説明する。
【００２６】
図１（ａ）は、本実施の形態に係るアンテナ制御システムの概略構成図であり、図１（ｂ）は、アンテナモデムの概略構成図である。
【００２７】
図１（ａ）に示すように、アンテナ制御システム１は、ＡＩＳＧ規格に準拠してアンテナ１０の制御を行うＡＩＳＧデバイス１７と、ＡＩＳＧデバイス１７に制御信号を送信し、ＡＩＳＧデバイス１７を制御してアンテナ１０の制御を行うと共に、ＡＩＳＧデバイス１７にＡＩＳＧ規格にて規定される一の電圧の電源信号を送信する制御装置１６と、アンテナ１０とアンテナ１０に給電を行う無線機１１とを接続する給電線１２の途中に設けられたＢＳモデム１３と、ＢＳモデム１３よりもアンテナ１０側の給電線１２の途中に設けられた本発明のアンテナモデム２と、を備えている。
【００２８】
ここでは、一例として、制御装置１６が、必須接続である１０〜３０Ｖ電源を供給するものであり、ＡＩＳＧデバイス１７が、１０〜３０Ｖ電源と−４８Ｖ電源の両方を使用するものである場合を説明する。
【００２９】
ＢＳモデム１３は、制御装置１６から入力ＡＩＳＧコネクタ（オスコネクタ）２１を介して入力された制御信号を変調して変調信号を生成し、その変調信号と制御装置１６から入力された電源信号とを合成した信号（ＡＩＳＧ信号という）を、無線機１１から入力側ＲＦコネクタ２５を介して入力された給電信号に重畳して、出力側ＲＦコネクタ２６から、アンテナ１０側の給電線１２に出力するものである。ＢＳモデム１３は、従来より用いられている一般的なＢＳモデムであり、図７で説明したものと同じものである。入力ＡＩＳＧコネクタ２１は、ＡＩＳＧ規格に準拠した一般的なコネクタ（ＡＩＳＧコネクタ）であり、ＲＦコネクタ２５，２６は、一般的な同軸ケーブル用のコネクタである。
【００３０】
アンテナモデム２は、ＢＳモデム１３から入力側ＲＦコネクタ３１を介して入力された給電信号からＡＩＳＧ信号を分離すると共に、ＡＩＳＧ信号を変調信号と電源信号とに分離し、変調信号を復調して制御信号に戻し、制御信号と電源信号を出力ＡＩＳＧコネクタ３６からＡＩＳＧデバイス１７に、分離後の給電信号を出力側ＲＦコネクタ３３からアンテナ１０側の給電線１２に出力するものである。アンテナモデム２の詳細については後述する。出力ＡＩＳＧコネクタ３６は、ＡＩＳＧ規格に準拠した一般的なコネクタ（ＡＩＳＧコネクタ）であり、ＲＦコネクタ３１，３３は、一般的な同軸ケーブル用のコネクタである。
【００３１】
ＢＳモデム１３は、無線機１１の近傍（例えば鉄塔の下部）に設けられ、制御ケーブル１５を介して制御装置１６が接続される。アンテナモデム２は、アンテナ１０の近傍（例えば鉄塔の上部）に設けられ、制御ケーブル１５を介してＡＩＳＧデバイス１７が接続される。
【００３２】
制御ケーブル１５は、図２に示すように、制御信号を伝送する２本の制御信号線４４と、電源を供給するための３本の電源線４５とを備えている。２本の制御信号線４４には、ドレインワイヤ４６が縦添えされており、２本の制御信号線４４とドレインワイヤ４６の周囲には、これらを一括して取り囲むようにシールドテープ（金属テープ）４７が設けられている。
【００３３】
３本の電源線４５は、異なる電圧が設定された２本の電源線４５ａ，４５ｃと、ＤＣリターン用の電源線４５ｂとからなる。ここでは、−４８Ｖ電源を伝送する−４８Ｖ線４５ａと１０〜３０Ｖ電源を伝送する１０〜３０Ｖ線４５ｃを備える場合を示している。
【００３４】
３本の電源線４５は、介在４８と共に２本の制御信号線４４の周囲（シールドテープ４７の周囲）に配置され、これらを一括して取り囲むように、シールドテープ４９、編組シールド５０、シース５１が順次設けられている。
【００３５】
なお、図２の制御ケーブル１５は、あくまで一例として示したものであり、制御ケーブル１５は、図２の構成に限定されるものではない。例えば、図１（ａ）のアンテナ制御システム１では、制御装置１６とＢＳモデム１３間に設けられる制御ケーブル１５については、−４８Ｖ線４５ａを使用しないので、−４８Ｖ線４５ａを省略したものを用いることも可能である。
【００３６】
図１（ａ）に戻り、制御ケーブル１５の両端には、オスコネクタ１５ａとメスコネクタ１５ｂがそれぞれ設けられている。また、制御装置１６には出力コネクタ（メスコネクタ）１６ａが、ＡＩＳＧデバイス１７には入力コネクタ（オスコネクタ）１７ａが設けられている。これらコネクタ１５ａ，１５ｂ，１６ａ，１７ａは、ＡＩＳＧ規格に準拠した一般的なコネクタ（ＡＩＳＧコネクタ）である。なお、図示していないが、ＡＩＳＧデバイス１７には、出力コネクタ（メスコネクタ）が設けられており、複数台のＡＩＳＧデバイス１７をデイジーチェーン接続できるようになっている。
【００３７】
制御ケーブル１５のオスコネクタ１５ａを制御装置１６の出力コネクタ１６ａに接続し、その制御ケーブル１５のメスコネクタ１５ｂをＢＳモデム１３の入力ＡＩＳＧコネクタ２１に接続することで、制御装置１６とＢＳモデム１３とが制御ケーブル１５を介して接続される。また、ＢＳモデム１３の入力側ＲＦコネクタ２５には、無線機１１から延びる給電線１２が接続され、これにより、無線機１１とＢＳモデム１３とが給電線１２を介して接続される。
【００３８】
さらに、制御ケーブル１５のオスコネクタ１５ａをアンテナモデム２の出力ＡＩＳＧコネクタ３６に接続し、その制御ケーブル１５のメスコネクタ１５ｂをＡＩＳＧデバイス１７の入力コネクタ１７ａに接続することで、アンテナモデム２とＡＩＳＧデバイス１７とが制御ケーブル１５を介して接続される。また、アンテナモデム２の出力側ＲＦコネクタ３３には、アンテナ１０に延びる給電線１２が接続され、これにより、アンテナモデム２とアンテナ１０とが給電線１２を介して接続される。
【００３９】
さらにまた、給電線１２の一端をＢＳモデム１３の出力側ＲＦコネクタ２６に接続し、その給電線１２の他端をアンテナモデム２の入力側ＲＦコネクタ３１に接続することで、ＢＳモデム１３とアンテナモデム２とが給電線１２を介して接続される。
【００４０】
次に、アンテナモデム２について説明する。
【００４１】
図１（ｂ）に示すように、アンテナモデム２は、ＢＳモデム１３から入力側ＲＦコネクタ３１を介して入力された給電信号から変調信号と電源信号とを分離する（つまり給電信号からＡＩＳＧ信号を分離する）と共に、分離後の給電信号を、出力側ＲＦコネクタ３３からアンテナ１０側の給電線１２に出力するバイアスＴ回路３２と、バイアスＴ回路３２で分離された変調信号と電源信号を、さらに個別に分離する（つまりＡＩＳＧ信号を変調信号と電源信号とに分離する）分離回路３４と、分離回路３４にて分離した変調信号を復調して制御信号に戻し、その制御信号を出力ＡＩＳＧコネクタ３６からＡＩＳＧデバイス１７に出力するモデム（モデム回路）３５と、を備えている。
【００４２】
分離回路３４の電源信号の出力は、内部配線により出力ＡＩＳＧコネクタ３６の６番（１０〜３０Ｖ  ＤＣ）のピン端子に電気的に接続されると共に、モデム３５の電源回路に電気的に接続され、モデム３５に電源が供給されるようになっている。なお、モデム３５は、図９で説明したものと同じものである。
【００４３】
分離回路３４の変調信号の出力は、内部配線によりモデム３５の変調信号の入出力部（方向性結合器）と電気的に接続され、モデム３５の制御信号の入出力部（ＲＳ４８５インターフェイス）は、内部配線により出力ＡＩＳＧコネクタ３６の３，５番（ＲＳ４８５Ａ，ＲＳ４８５Ｂ）のピン端子に電気的に接続され、復調した制御信号を出力ＡＩＳＧコネクタ３６から出力するようになっている。
【００４４】
さて、本実施の形態に係るアンテナモデム２は、ＢＳモデム１３から入力され給電信号から分離した電源信号から、ＡＩＳＧ規格にて規定される他の電圧の電源信号を生成してＡＩＳＧデバイス１７に出力するＤＣ／ＤＣコンバータ３をさらに備えている。
【００４５】
より具体的には、ＤＣ／ＤＣコンバータ３は、分離回路３４にて分離した電源信号（ここでは１０〜３０Ｖ電源）から、ＡＩＳＧ規格にて規定される他の電圧の電源信号（ここでは−４８Ｖ電源）を生成して、出力ＡＩＳＧコネクタ３６からＡＩＳＧデバイス１７に出力するように構成される。
【００４６】
ＤＣ／ＤＣコンバータ３の入力端子の正極には、内部配線により分離回路３４の電源信号の出力が電気的に接続され、その入力端子の負極と出力端子の正極は、図示していないが、内部配線により出力ＡＩＳＧコネクタ３６の７番（ＤＣ  ｒｅｔｕｒｎ）のピン端子に電気的に接続される。ＤＣ／ＤＣコンバータ３の出力端子の負極は、内部配線により出力ＡＩＳＧコネクタ３６の２番（−４８Ｖ  ＤＣ）のピン端子と電気的に接続される。
【００４７】
なお、本実施の形態では、ＡＩＳＧデバイス１７として、１０〜３０Ｖ電源と−４８Ｖ電源の両方を使用するものを用いているため、分離回路３４で分離した電源信号（１０〜３０Ｖ電源）と、ＤＣ／ＤＣコンバータ３で生成した電源信号（−４８Ｖ電源）の両者を、ＡＩＳＧデバイス１７に出力するようにアンテナモデム２を構成している。
【００４８】
ただし、例えば、デイジーチェーン接続により＋１２Ｖ電源を使用するＡＩＳＧデバイス１７をさらに使用する可能性がある場合などは、図３に示すように、ＤＣ／ＤＣコンバータ３と並列に、１０〜３０Ｖ電源から＋１２Ｖ電源を生成するＤＣ／ＤＣコンバータ４をさらに設け、３種類の電源全てを出力するように構成してもよい。換言すれば、アンテナモデム２に２つのＤＣ／ＤＣコンバータ３，４を備え、両ＤＣ／ＤＣコンバータ３，４にて、ＢＳモデム１３から入力され給電信号から分離した電源信号（１０〜３０Ｖ電源）から、ＡＩＳＧ規格にて規定される他の電圧で、かつ異なる電圧の電源信号（−４８Ｖ電源と＋１２Ｖ電源）をそれぞれ生成して、ＡＩＳＧデバイス１７に出力するように構成してもよい。
【００４９】
さらに、図３のアンテナモデム２においてＤＣ／ＤＣコンバータ３を省略し、１０〜３０Ｖ電源と＋１２Ｖ電源を出力するように構成してもよい。換言すれば、図１（ｂ）のアンテナモデム２において、ＤＣ／ＤＣコンバータ３として、１０〜３０Ｖ電源から＋１２Ｖ電源を生成するものを用いるようにしてもよい。
【００５０】
また、例えば、ＡＩＳＧデバイス１７として、ＤＣ／ＤＣコンバータ３で生成した電源信号（ここでは−４８Ｖ電源）を使用するもののみを用い、制御装置１６から給電されている電源（ここでは１０〜３０Ｖ電源）を使用しない場合には、図４に示すように、分離回路３４の電源信号の出力を直接出力ＡＩＳＧコネクタ３６に接続する内部配線を省略して、ＤＣ／ＤＣコンバータ３で生成した電源信号のみを出力するように構成してもよい。
【００５１】
さらに、図５に示すように、出力ＡＩＳＧコネクタ３６の近傍にサージ保護回路５を備え、雷サージなどのサージ電圧から内部回路（ＤＣ／ＤＣコンバータ３やモデム３５など）を保護するように構成してもよい。
【００５２】
本実施の形態の作用を説明する。
【００５３】
本実施の形態に係るアンテナ制御システム１では、アンテナモデム２に、ＢＳモデム１３から入力され給電信号から分離した電源信号から、ＡＩＳＧ規格にて規定される他の電圧の電源信号を生成してＡＩＳＧデバイス１７に出力するＤＣ／ＤＣコンバータ３を備えている。
【００５４】
従来、コアキシャルインターフェイス方式のアンテナ制御システムでは、１種類の電源しか伝送することができないため、その伝送する１種類の電源以外の電源を使用するＡＩＳＧデバイスを使用することができなかったが、本発明によれば、アンテナモデム２内にＤＣ／ＤＣコンバータ３を設けることにより、アンテナモデム２にて給電線１２から給電される電源以外の電圧の電源を生成することが可能となり、アンテナモデム２の下流側（制御装置１６と反対側）において、コアキシャルインターフェイス方式で伝送する電源以外の電源を使用することが可能となる。
【００５５】
つまり、本発明によれば、コアキシャルインターフェイス方式により給電される電源電圧以外の電源電圧を使用するＡＩＳＧデバイス１７を接続して使用することが可能となり、システムの柔軟性や拡張性を向上できる。
【００５６】
本発明は上記実施の形態に限定されるものではなく、本発明の趣旨を逸脱しない範囲で種々の変更を加え得ることは勿論である。
【００５７】
例えば、上記実施の形態では、１０〜３０Ｖ電源から−４８Ｖ電源、あるいは＋１２Ｖ電源を生成して出力するようにアンテナモデム２を構成する場合を説明したが、これに限らず、制御装置１６が出力する電源電圧と、ＡＩＳＧデバイス１７が使用する電源電圧に応じて、−４８Ｖ電源から１０〜３０Ｖ電源や＋１２Ｖ電源を生成して出力したり、あるいは、＋１２Ｖ電源から１０〜３０Ｖ電源や−４８Ｖ電源を生成して出力するようにアンテナモデム２を構成することも当然に可能である。
【００５８】
また、上記実施の形態では、無線機１１と制御装置１６とが別体となっている場合を説明したが、無線機１１と制御装置１６が一体となった無線機能付きの制御装置を用いるようにしてもよい。
【符号の説明】
【００５９】
１  アンテナ制御システム
２  アンテナモデム
３  ＤＣ／ＤＣコンバータ
１０  アンテナ
１１  無線機
１２  給電線
１３  ＢＳモデム
１５  制御ケーブル
１６  制御装置
１７  ＡＩＳＧデバイス
【図１】
2013026892.tif 000004
【図２】
2013026892.tif 000005
【図３】
2013026892.tif 000006
【図４】
2013026892.tif 000007
【図５】
2013026892.tif 000008
【図６】
2013026892.tif 000009
【図７】
2013026892.tif 000010
【図８】
2013026892.tif 000011
【図９】
2013026892.tif 000012